(57)【要約】【課題】コンバインドサイクルプラントの制御装置及びコンバインドサイクルプラントの停止方法において、プラントを停止させる時間を短縮して稼働率の向上を図る。【解決手段】圧縮機２１と燃焼器２２とタービン２３を有するガスタービン１１と、ガスタービン１１からの排ガスの排熱により蒸気を生成する排熱回収ボイラ１２と、排熱回収ボイラ１２により生成された蒸気により駆動する蒸気タービン１３とを備え、排ガス温度の低下率が、蒸気タービン１３の静止部と回転部との隙間が予め設定された許容隙間以上に維持される蒸気による冷却レートとなるように、ガスタービン１１の出力を制御する。【選択図】図１
2019011721.tif 000002
【特許請求の範囲】
【請求項１】
圧縮機と燃焼器とタービンを有するガスタービンと、
前記ガスタービンからの排ガスの排熱により蒸気を生成する排熱回収ボイラと、
前記排熱回収ボイラにより生成された蒸気により駆動する蒸気タービンと、
を備えるコンバインドサイクルプラントにおいて、
排ガス温度の低下率が、前記蒸気タービンの静止部と回転部との隙間が予め設定された許容隙間以上に維持される蒸気による冷却レートとなるように、前記ガスタービンの出力を制御する、
ことを特徴とするコンバインドサイクルプラントの制御装置。
【請求項２】
排ガス温度の低下率が予め設定された許容最大値を超えると、前記ガスタービンの出力の低下を抑制することを特徴とする請求項１に記載のコンバインドサイクルプラントの制御装置。
【請求項３】
プラント停止時に、燃料の供給量を減少することで前記ガスタービンの出力を一定に低下させる予め設定された冷却停止モードを用いて前記ガスタービンの出力を低下させ、排ガス温度の低下率が前記許容最大値を超えると、燃料の供給量の減少を抑制することを特徴とする請求項２に記載のコンバインドサイクルプラントの制御装置。
【請求項４】
排ガス温度の低下率が前記許容最大値を超えると、燃料供給ラインに設けられる燃料制御弁の閉動作を抑制すると共に、蒸気供給ラインに設けられる蒸気制御弁の閉動作を抑制することを特徴とする請求項２または請求項３に記載のコンバインドサイクルプラントの制御装置。
【請求項５】
排ガス温度の低下率が予め設定された許容最小値を下回ると、前記燃料制御弁の閉動作の抑制を解除すると共に、前記蒸気制御弁の閉動作の抑制を解除することを特徴とする請求項４に記載のコンバインドサイクルプラントの制御装置。
【請求項６】
前記ガスタービンの出力が予め設定された運用最低出力に到達すると、排ガス温度の低下率が蒸気の前記冷却レートとなるように前記ガスタービンの出力を制御することを特徴とする請求項１から請求項５のいずれか一項に記載のコンバインドサイクルプラントの制御装置。
【請求項７】
圧縮機と燃焼器とタービンを有するガスタービンと、
前記ガスタービンからの排ガスの排熱により蒸気を生成する排熱回収ボイラと、
前記排熱回収ボイラにより生成された蒸気により駆動する蒸気タービンと、
を備えるコンバインドサイクルプラントにおいて、
燃料の供給量を減少することで前記ガスタービンの出力を一定に低下させる予め設定された冷却停止モードを用いて前記ガスタービンの出力を低下させる工程と、
排ガス温度の低下率が予め設定された許容最大値を超えると燃料の供給量の減少を抑制すると共に蒸気の供給量の減少を抑制する工程と、
を有することを特徴とするコンバインドサイクルプラントの停止方法。
【発明の詳細な説明】
【技術分野】
【０００１】
本発明は、ガスタービンと排熱回収ボイラと蒸気タービンを備えるコンバインドサイクルプラントの制御装置及びコンバインドサイクルプラントの停止方法に関するものである。
【背景技術】
【０００２】
コンバインドサイクル発電は、まず、天然ガスなどを燃料としてガスタービンを駆動して１回目の発電を行い、次に、排熱回収ボイラがガスタービンの排ガスを回収して蒸気を生成し、この蒸気により蒸気タービンを駆動して２回目の発電を行うものである。コンバインドサイクルプラントは、このコンバインドサイクル発電を実行するための発電プラントである。
【０００３】
コンバインドサイクルプラントは、所定期間ごとにその稼働を停止して定期点検を実施する必要がある。このコンバインドサイクルプラントの定期点検時、ガスタービンの出力を低下させると共に、蒸気タービンの出力を低下させ、ガスタービンと蒸気タービンのメタル温度を低下させている。このとき、ガスタービンや蒸気タービンのメタル温度を早期に低下させる必要があることから、軸負荷降下レートを一定としてガスタービンの出力を低下させることで、蒸気タービンの出力を低下させてメタル温度を所定温度まで低下させる運転を実施している。
【０００４】
なお、このようなコンバインドサイクルプラントの停止方法としては、例えば、下記特許文献１に記載されたものがある。
【先行技術文献】
【特許文献】
【０００５】
【特許文献１】特開２０１５−１９４０８６号公報
【発明の概要】
【発明が解決しようとする課題】
【０００６】
コンバインドサイクルプラントにて、蒸気タービンを冷却させるとき、軸出力（ガスタービン出力）を下げることで蒸気温度が下がり、結果としてメタル温度を低下させる。蒸気タービンのケーシング内には静翼保持環などの熱容量が小さい静止部品を含むため、動翼が取付けられたロータよりも早期に温度低下する。すると、蒸気タービンのメタル温度が低下する過程で、静止部品は、動翼が取付けられたロータよりも早期に熱収縮し、両者のクリアランスが狭くなり、接触してしまうおそれがある。そのため、従来、蒸気タービンの冷却停止過程で、振動センサによりロータの軸振動を検出し、接触の有無を確認して、ロータの曲がりが発生するような軸振動が発生すると、軸負荷降下レートを変更し、ガスタービンの出力低下率を小さくするような制御を実施している。即ち、ロータの軸振動が増加すると、軸出力の変化率（ガスタービンの出力変化率）の設定を下げることで、蒸気温度の変化率を下げ、ケーシング側の熱収縮速度を緩和している。軸出力の変化率調整は蒸気温度の変化率調整と同等の関係であり、軸出力変化率調整を行うことで、熱収縮速度の緩和となり機械的な損傷を防いでいるが、一方で過剰に温度変化率を低くしすぎると、定期点検などでコンバインドサイクルプラントの停止するために蒸気タービンを冷却する場合、蒸気タービンの冷却にかかる時間が長時間となって定期点検にかかる期間が長くなり、コンバインドサイクルプラントの稼働率が低下してしまうという問題がある。
【０００７】
本発明は、上述した課題を解決するものであり、プラントを停止させる時間を短縮して稼働率の向上を図るコンバインドサイクルプラントの制御装置及びコンバインドサイクルプラントの停止方法を提供することを目的とする。
【課題を解決するための手段】
【０００８】
上記の目的を達成するための本発明のコンバインドサイクルプラントの制御装置は、圧縮機と燃焼器とタービンを有するガスタービンと、前記ガスタービンからの排ガスの排熱により蒸気を生成する排熱回収ボイラと、前記排熱回収ボイラにより生成された蒸気により駆動する蒸気タービンと、を備えるコンバインドサイクルプラントにおいて、排ガス温度の低下率が、前記蒸気タービンの静止部と回転部との隙間が予め設定された許容隙間以上に維持される蒸気による冷却レートとなるように、前記ガスタービンの出力を制御する、ことを特徴とするものである。
【０００９】
従って、予め蒸気タービンの静止部と回転部との隙間が許容隙間以上に維持されるときの排ガス温度の低下率に対する蒸気による冷却レートを設定しておき、プラントの停止時に、この排ガス温度の低下率が設定した蒸気による冷却レートとなるようにガスタービンの出力を制御することで、蒸気タービンの静止部と回転部との隙間を最適値に維持し、両者の接触による回転軸の曲げを抑制することができると共に、排ガス温度の低下率に応じてガスタービンの出力を制御すればよく、プラントを停止させる時間を短縮して稼働率の向上を図ることができる。
【００１０】
本発明のコンバインドサイクルプラントの制御装置では、排ガス温度の低下率が予め設定された許容最大値を超えると、前記ガスタービンの出力の低下を抑制することを特徴としている。
【００１１】
従って、プラントの停止時に、ガスタービンの出力を大きく低下させていき、排ガス温度の低下率が許容最大値を超えると、ガスタービンの出力の低下を抑制するため、蒸気タービンの静止部と回転部との隙間を最適値に維持しながら、簡単な制御でプラントの冷却停止時間を短縮することができる。
【００１２】
本発明のコンバインドサイクルプラントの制御装置では、プラント停止時に、燃料の供給量を減少することで前記ガスタービンの出力を一定に低下させる予め設定された冷却停止モードを用いて前記ガスタービンの出力を低下させ、排ガス温度の低下率が前記許容最大値を超えると、燃料の供給量の減少を抑制することを特徴としている。
【００１３】
従って、プラント停止時に、まず、冷却停止モードを用いてガスタービンの出力を一定に低下させ、次に、排ガス温度の低下率が許容最大値を超えると、燃料の供給量の減少を抑制するため、制御の簡素化を図ることができる。
【００１４】
本発明のコンバインドサイクルプラントの制御装置では、排ガス温度の低下率が前記許容最大値を超えると、燃料供給ラインに設けられた燃料制御弁の閉動作を抑制すると共に、蒸気供給ラインに設けられた蒸気制御弁の閉動作を抑制することを特徴としている。
【００１５】
従って、排ガス温度の低下率に応じて燃料制御弁と蒸気制御弁の開閉制御を実施すればよく、制御する対象機器が減少して制御の簡素化を図ることができる。
【００１６】
本発明のコンバインドサイクルプラントの制御装置では、排ガス温度の低下率が予め設定された許容最小値を下回ると、前記燃料制御弁の閉動作の抑制を解除すると共に、前記蒸気制御弁の閉動作の抑制を解除することを特徴としている。
【００１７】
従って、排ガス温度の低下率が許容最大値を超えてガスタービンの出力の低下を抑制した後、排ガス温度の低下率が許容最小値を下回ると、再び、ガスタービンの出力を低下させることで、蒸気タービンの静止部と回転部との接触を抑制しながら、蒸気タービンを早期に冷却することができる。
【００１８】
本発明のコンバインドサイクルプラントの制御装置では、前記ガスタービンの出力が予め設定された運用最低出力に到達すると、排ガス温度の低下率が蒸気の前記冷却レートとなるように前記ガスタービンの出力を制御することを特徴としている。
【００１９】
従って、ガスタービンの出力が運用最低出力まで低下してから、排ガス温度の低下率が蒸気の冷却レートとなるようにガスタービンの出力を制御するため、蒸気タービンが冷却停止する過程で、必要な領域だけ排ガス温度の低下率に基づく制御を実行すればよく、制御の簡素化を図ることができる。
【００２０】
また、本発明のコンバインドサイクルプラントの停止方法は、圧縮機と燃焼器とタービンを有するガスタービンと、前記ガスタービンからの排ガスの排熱により蒸気を生成する排熱回収ボイラと、前記排熱回収ボイラにより生成された蒸気により駆動する蒸気タービンと、を備えるコンバインドサイクルプラントにおいて、燃料の供給量を減少することで前記ガスタービンの出力を一定に低下させる予め設定された冷却停止モードを用いて前記ガスタービンの出力を低下させる工程と、排ガス温度の低下率が予め設定された許容最大値を超えると燃料の供給量の減少を抑制すると共に蒸気の供給量の減少を抑制する工程と、を有することを特徴とするものである。
【００２１】
従って、蒸気タービンの静止部と回転部との隙間を最適値に維持し、両者の接触による回転軸の曲げを抑制することができると共に、排ガス温度の低下率に応じてガスタービンの出力を制御すればよく、プラントを停止させる時間を短縮して稼働率の向上を図ることができる。
【発明の効果】
【００２２】
本発明のコンバインドサイクルプラントの制御装置及びコンバインドサイクルプラントの停止方法によれば、プラントを停止させる時間を短縮して稼働率の向上を図ることができる。
【図面の簡単な説明】
【００２３】
【図１】図１は、本実施形態のコンバインドサイクルプラントを表す概略構成図である。
【図２】図２は、コンバインドサイクルプラントの停止方法を表すフローチャートである。
【図３】図３は、コンバインドサイクルプラントの停止時におけるタイムチャートである。
【発明を実施するための形態】
【００２４】
以下、添付図面を参照して、本発明に係るコンバインドサイクルプラントの制御装置及びコンバインドサイクルプラントの停止方法の好適な実施形態を詳細に説明する。なお、この実施形態により本発明が限定されるものではなく、また、実施形態が複数ある場合には、各実施形態を組み合わせて構成するものも含むものである。
【００２５】
図１は、本実施形態のコンバインドサイクルプラントを表す概略構成図である。
【００２６】
本実施形態において、図１に示すように、コンバインドサイクルプラント１０は、ガスタービン１１と、排熱回収ボイラ（ＨＲＳＧ）１２と、蒸気タービン１３と、制御装置１４とを備えている。
【００２７】
ガスタービン１１は、圧縮機２１と、燃焼器２２と、タービン２３と、発電機２４とを有しており、圧縮機２１とタービン２３と発電機２４は、回転軸（ロータ）２５により一体回転可能に連結されている。圧縮機２１は、空気取り込みラインＬ１から取り込んだ空気を圧縮する。燃焼器２２は、圧縮機２１から圧縮空気供給ラインＬ２を通して供給された圧縮空気と、燃料ガス供給ラインＬ３から供給された燃料ガスとを混合して燃焼する。燃料ガス供給ラインＬ３は、燃焼器２２に供給する燃料ガスの供給量を調整する燃料調整弁（燃料制御弁）２６が設けられている。タービン２３は、燃焼器２２から燃焼ガス供給ラインＬ４を通して供給された燃焼ガスにより回転駆動する。発電機２４は、タービン２３が回転することで伝達される回転力により発電する。
【００２８】
排熱回収ボイラ１２は、ガスタービン１１（タービン２３）から排ガス排出ラインＬ５を介して排出された排ガスの排熱によって蒸気を発生させるものである。排熱回収ボイラ１２は、図示しないが、熱交換器として、高圧、中圧、低圧の過熱器と蒸発器と節炭器とを有している。排熱回収ボイラ１２は、ガスタービン１１からの排ガスが内部を通過することで、過熱器、蒸発器、節炭器の順に熱回収を行うことで蒸気を生成する。そして、排熱回収ボイラ１２は、蒸気を生成した使用済の排ガスを排出する排ガス排出ラインＬ６を介して煙突（図示略）が連結されている。
【００２９】
蒸気タービン１３は、排熱回収ボイラ１２により生成された過熱蒸気により駆動するものであり、タービン３１と発電機３２とを有している。蒸気タービン１３は、高圧タービン３３と中圧タービン３４と低圧タービン３５とが一軸に連結されて構成され、発電機３２も同軸上に連結されている。そして、排熱回収ボイラ１２の高圧過熱器の高圧蒸気を高圧タービン３３に供給する高圧蒸気供給ラインＬ１１が設けられると共に、高圧タービン３３を駆動した中圧蒸気を排熱回収ボイラ１２の再熱器に戻す中圧蒸気回収ラインＬ１２が設けられている。そして、高圧蒸気供給ラインＬ１１は、高圧蒸気加減弁（蒸気制御弁）３６が設けられている。また、再熱器で過熱された中圧蒸気を中圧タービン３４に供給する中圧蒸気供給ラインＬ１３が設けられると共に、中圧タービン３４を駆動した中圧蒸気を低圧タービン３５に供給する低圧蒸気搬送ラインＬ１４が設けられている。そして、中圧蒸気供給ラインＬ１３は、インターセプト弁（蒸気制御弁）３７が設けられている。発電機３２は、タービン３１が回転することで伝達される回転力により発電する。
【００３０】
蒸気タービン１３は、低圧タービン３５を駆動した蒸気を冷却する復水器３８が設けられている。復水器３８は、低圧タービン３５から排出された蒸気を冷却水（例えば、海水）により冷却して復水とするものである。この復水器３８は、生成した復水を復水供給ラインＬ１５を介して排熱回収ボイラ１２（節炭器）に送る。復水供給ラインＬ１５は、腹水ポンプ３９が設けられている。
【００３１】
そのため、コンバインドサイクルプラント１０の稼働時、ガスタービン１１にて、圧縮機２１は空気を圧縮し、燃焼器２２は供給された圧縮空気と燃料ガスとを混合して燃焼する。タービン２３は燃焼器２２から供給された燃焼ガスにより回転駆動し、発電機２４が発電を行う。また、ガスタービン１１（タービン２３）から排出された排ガスは、排熱回収ボイラ１２に送られ、排熱回収ボイラ１２は蒸気を生成し、過熱蒸気が蒸気タービン１３に送られる。高圧タービン３３と中圧タービン３４と低圧タービン３５は、この過熱蒸気により回転駆動し、発電機３２が発電を行う。低圧タービン３５で使用された蒸気は、復水器３８で冷却されて復水となり、排熱回収ボイラ１２に戻される。
【００３２】
制御装置１４は、燃料調整弁２６と高圧蒸気加減弁３６とインターセプト弁３７の開度を調整することができる。制御装置１４は、燃料調整弁２６の開度を調整することで、燃料ガス供給ラインＬ３から燃焼器２２に供給される燃料ガスの供給量を調整する。また、制御装置１４は、高圧蒸気加減弁３６の開度を調整することで、排熱回収ボイラ１２から高圧蒸気供給ラインＬ１１により高圧タービン３３に供給される高圧蒸気の供給量を調整する。更に、制御装置１４は、インターセプト弁３７の開度を調整することで、排熱回収ボイラ１２から中圧蒸気供給ラインＬ１３により中圧タービン３４に供給される中圧蒸気の供給量を調整する。
【００３３】
また、制御装置１４は、コンバインドサイクルプラント１０を構成するガスタービン１１、排熱回収ボイラ１２、蒸気タービン１３を制御可能となっている。制御装置１４は、操作装置４１が接続されており、操作装置４１から入力された各種の指令信号によりガスタービン１１、排熱回収ボイラ１２、蒸気タービン１３を制御する。
【００３４】
ところで、上述したコンバインドサイクルプラント１０の定期点検を行うために、その稼働を停止するとき、ガスタービン１１の出力を低下させると共に、蒸気タービン１３の出力を低下させ、ガスタービン１１と蒸気タービン１３のメタル温度を低下させている。このとき、動翼が取付けられたロータよりも静翼が取付けられたケーシングが早期に温度低下することから、両者の熱膨張差によりケーシングと動翼または静翼とロータとのクリアランスが狭くなり、接触してしまうおそれがある。この場合、蒸気タービン１３の冷却停止過程で、ロータの軸振動を検出し、検出した軸振動に応じて軸負荷降下レートを変更することが考えられるが、コンバインドサイクルプラント１０の停止時間が長くなってしまうという問題がある。
【００３５】
本実施形態では、ガスタービン１１の排ガス温度の低下率が、蒸気タービン１３の静止部（ケーシングや静翼など）と回転部（ロータや動翼など）との隙間が予め設定された許容隙間以上に維持される蒸気の冷却レートとなるように、ガスタービン１１の出力を制御するようにしている。そのため、ガスタービン１１は、タービン２３から排出された排ガスの温度を計測する温度センサ４２が設けられており、温度センサ４２は、計測結果を制御装置１４に出力する。
【００３６】
具体的に説明すると、排熱回収ボイラ１２は、ガスタービン１１の排ガスの排熱により水を加熱して蒸気を生成し、過熱蒸気を蒸気タービン１３に供給する。そのため、蒸気タービン１３に供給される蒸気温度は、ガスタービン１１から排出される排ガス温度に依存し、ほぼ比例状態である。また、蒸気タービン１３の静止部と回転部との隙間の大きさ（変化）は、蒸気タービン１３へ供給される蒸気の変化率（上昇率または低下率）に依存し、この蒸気温度の変化率（上昇率または低下率）は、ガスタービン１１から排出される排ガス温度の変化率（上昇率または低下率）に依存する。
【００３７】
そのため、蒸気タービン１３の静止部と回転部との隙間の大きさと蒸気タービン１３へ供給される蒸気の変化率（低下率）との関係を事前に実験などにより求め、蒸気タービン１３へ供給される蒸気の変化率（低下率）とガスタービン１１から排出される排ガス温度の変化率（低下率）との関係を事前に実験などにより求めておく。すると、蒸気タービン１３の静止部と回転部との隙間の大きさとガスタービン１１から排出される排ガス温度の変化率（低下率）との関係が明確となる。そして、蒸気タービン１３の静止部と回転部との隙間の最適値に対する排ガス温度の低下率の許容最大値を設定しておく。
【００３８】
そして、コンバインドサイクルプラント１０を冷却停止するとき、制御装置１４は、燃料の供給量を減少することでガスタービン１１の出力を一定に低下させると共に、蒸気の供給量を減少することで蒸気タービン１３の出力を一定に低下させる冷却停止モードを用いてコンバインドサイクルプラント１０を停止させる。コンバインドサイクルプラント１０の出力を低下させるとき、現在の出力と目標出力とを比較して燃料の供給量（弁開度）の減少率と蒸気の供給量（弁開度）の減少率を設定する。本実施形態の冷却停止モードは、現在の出力と目標出力とに基づいて設定された燃料の供給量の減少率と蒸気の供給量の減少率に予め設定された補正値を加算して設定される。即ち、本実施形態の冷却停止モードは、従来の冷却停止モードより燃料の供給量の減少率と蒸気の供給量の減少率が大きいものである。
【００３９】
そして、この冷却停止モードの実行時に、排ガス温度の低下率が許容最大値を超えると、ガスタービン１１の出力の低下を抑制する。排ガス温度の低下率が許容最大値を超えることは、蒸気タービン１３の静止部と回転部との隙間が最適値より小さくなることであり、このとき、ガスタービン１１の出力の低下を抑制することで、排ガス温度の低下率、つまり、蒸気温度の低下率が小さくなり、蒸気タービン１３の静止部と回転部との隙間の減少が抑制される。
【００４０】
また、ガスタービン１１の出力の低下を抑制すると、排ガス温度の低下率が小さくなり、蒸気タービン１３のメタル温度の低下が抑制され、蒸気タービン１３の静止部と回転部との隙間が増加する。そのため、排ガス温度の低下率が予め設定された許容最小値を下回ると、再び、ガスタービン１１の出力の低下の抑制を解除し、冷却停止モードによりガスタービン１１の出力を低下させる。この処理の繰り返しによりコンバインドサイクルプラント１０を停止させる。
【００４１】
ここで、コンバインドサイクルプラント１０の停止方法について詳細に説明する。図２は、コンバインドサイクルプラントの停止方法を表すフローチャートである。
【００４２】
本実施形態のコンバインドサイクルプラント１０の停止方法は、ガスタービン１１への燃料ガスの供給量を減少することでガスタービン１１の出力を一定に低下させる予め設定された冷却停止モードを用いてガスタービン１１の出力を低下させる工程と、排ガス温度の低下率が予め設定された許容最大値を超えると燃料ガスの供給量の減少を抑制すると共に蒸気の供給量の減少を抑制する工程とを有する。
【００４３】
具体的に説明すると、図１及び図２に示すように、ステップＳ１１にて、制御装置１４は、コンバインドサイクルプラント１０の冷却停止指令が入力されたかどうかを判定する。ここで、冷却停止指令が入力されていないと判定（Ｎｏ）されると、ステップＳ１１の処理を継続して行う。一方、冷却停止指令が入力されたと判定（Ｙｅｓ）されると、ステップＳ１２にて、ガスタービン１１の負荷（出力）が予め設定された運用最低軸負荷に到達（運用最低軸負荷まで低下）したかどうかを判定する。
【００４４】
ここで、ガスタービン１１の負荷が運用最低軸負荷に到達していないと判定（Ｎｏ）されると、ステップＳ１１に戻る。一方、ガスタービン１１の負荷が運用最低軸負荷に到達したと判定（Ｙｅｓ）されると、ステップＳ１３にて、コンバインドサイクルプラント１０の冷却停止モードを開始する。このコンバインドサイクルプラント１０の冷却停止モードとは、ガスタービン１１の出力（軸出力）を予め設定された低下率で低下させると共に、蒸気タービン１３の出力を所定の低下率で低下させるモードである。
【００４５】
即ち、ガスタービン１１の出力（軸出力）の調整は、燃料ガスの供給量を調整することにより行うものであり、制御装置１４が燃料調整弁２６の開度を調整する。また、蒸気タービン１３の出力の調整は、過熱蒸気の供給量を調整することにより行うものであり、制御装置１４は、高圧蒸気加減弁３６及びインターセプト弁３７の開度を調整する。そのため、コンバインドサイクルプラント１０の冷却停止モードでは、制御装置１４が燃料調整弁２６の開度を所定の変化率で減少することで、ガスタービン１１の出力（軸出力）を一定に低下させると共に、高圧蒸気加減弁３６及びインターセプト弁３７の開度を所定の変化率で減少することで、蒸気タービン１３の出力を一定に低下させる。
【００４６】
ステップＳ１４にて、制御装置１４は、排ガス温度の低下率が許容最大値以下であるかどうかを判定する。ここで、排ガス温度の低下率が許容最大値以下であると判定（Ｙｅｓ）されると、コンバインドサイクルプラント１０を冷却停止モードで冷却させる処理を継続する。一方、排ガス温度の低下率が許容最大値を超えたと判定（Ｎｏ）されると、ステップＳ１５に移行する。ステップＳ１５では、制御装置１４が燃料調整弁２６の開度の減少を停止し、その開度を維持させる。また、制御装置１４が高圧蒸気加減弁３６及びインターセプト弁３７の開度の減少を停止し、その開度を維持させる。
【００４７】
なお、排ガス温度の低下率が許容最大値を超えたとき、燃料調整弁２６の開度を維持してもよいし、開度の減少率を小さくしてもよい。また、高圧蒸気加減弁３６及びインターセプト弁３７の開度を維持してもよいし、開度の減少率を小さくしてもよい。すると、ガスタービン１１の出力（軸出力）の低下が抑制されると共に、蒸気タービン１３の出力の低下が抑制される。
【００４８】
即ち、排ガス温度の低下率が許容最大値を超えると、蒸気タービン１３の静止部と回転部との隙間が最適値より小さくなってしまい、ガスタービン１１の出力の低下を継続すると共に、蒸気タービン１３の出力の低下を継続すると、蒸気タービン１３の静止部と回転部とが接触して軸振動が大きくなってしまう。そのため、このとき、燃料調整弁２６と高圧蒸気加減弁３６及びインターセプト弁３７の開度の減少を抑制し、ガスタービン１１及び蒸気タービン１３の出力の低下を抑制する。すると、排ガス温度の低下率、つまり、蒸気温度の低下率が小さくなり、蒸気タービン１３の静止部と回転部との隙間の減少が抑制される。
【００４９】
ガスタービン１１の出力の低下を抑制すると、排ガス温度の低下率が小さくなると共に、蒸気温度の低下率が小さくなることから、蒸気タービン１３のメタル温度の低下が抑制される。すると、蒸気タービン１３の静止部と回転部との熱膨張差が減少し、蒸気タービン１３の静止部と回転部との隙間が増加する。ステップＳ１６にて、制御装置１４は、排ガス温度の低下率が予め設定された許容最小値以下になるかどうかを判定する。ここで、排ガス温度の低下率が許容最小値より大きいと判定（Ｎｏ）されると、ステップＳ１５に戻って処理を継続する。一方、排ガス温度の低下率が許容最小値以下であると判定（Ｙｅｓ）されると、ステップＳ１４に戻り、制御装置１４は、燃料調整弁２６の開度を所定の変化率で減少することで、ガスタービン１１の出力（軸出力）を一定に低下させると共に、高圧蒸気加減弁３６及びインターセプト弁３７の開度を所定の変化率で減少することで、蒸気タービン１３の出力を一定に低下させる。そして、制御装置１４は、排ガス温度の低下率が許容最大値以下であるかどうかを判定する。
【００５０】
上述したステップＳ１３からステップＳ１６の繰り返し処理によりガスタービン１１の出力が低下すると共に、蒸気タービン１３の出力が低下し、ステップＳ１７にて、コンバインドサイクルプラント１０が停止する。
【００５１】
上述した本実施形態のコンバインドサイクルプラント１０の停止時における各状態量の変動について説明する。図３は、コンバインドサイクルプラントの停止時におけるタイムチャートである。
【００５２】
図３に示すように、時間ｔ１にて、ガスタービン１１の負荷が運用最低軸負荷に到達すると、ここで、コンバインドサイクルプラント１０の冷却停止モードを開始する。即ち、制御装置１４は、燃料調整弁２６の開度を所定の変化率で減少すると共に、高圧蒸気加減弁３６（インターセプト弁３７）の開度を所定の変化率で減少する。また、このとき、ＩＧＶ（入口案内翼）の開度を所定の変化率で減少する。
【００５３】
すると、ガスタービン１１の出力（軸出力）が一定に低下し、ガスタービン１１の出力低下により排ガス温度が低下し、排ガス温度の低下率が大きくなる。そのため、排熱回収ボイラ１２が生成する蒸気量が減少し、蒸気タービン１３の出力が一定に低下する。
【００５４】
このとき、制御装置１４は、排ガス温度の低下率を監視しており、時間ｔ２にて、排ガス温度の低下率が許容最大値を超えると、制御装置１４は、燃料調整弁２６及びＩＧＶの開度の減少を停止して一定開度に維持すると共に、高圧蒸気加減弁３６（インターセプト弁３７）の開度の減少を停止して一定開度を維持する。すると、ガスタービン１１の出力低下が停止して一定出力に維持され、排ガス温度の低下率が小さくなり、蒸気温度の低下率も小さくなることから、蒸気タービン１３の静止部と回転部との隙間の減少が抑制される。
【００５５】
その後、時間ｔ３にて、排ガス温度の低下率が許容最小値以下になると、再び、コンバインドサイクルプラント１０の冷却停止モードを開始する。即ち、制御装置１４は、燃料調整弁２６及びＩＧＶの開度を所定の変化率で減少することで、ガスタービン１１の出力（軸出力）を一定に低下させると共に、高圧蒸気加減弁３６及びインターセプト弁３７の開度を所定の変化率で減少することで、蒸気タービン１３の出力を一定に低下させる。すると、ガスタービン１１の出力が一定に低下し、ガスタービン１１の出力低下により排ガス温度が低下し、排ガス温度の低下率が大きくなる。そのため、排熱回収ボイラ１２が生成する蒸気量が減少し、蒸気タービン１３の出力が一定に低下する。
【００５６】
このように本実施形態のコンバインドサイクルプラントの制御装置にあっては、圧縮機２１と燃焼器２２とタービン２３を有するガスタービン１１と、ガスタービン１１からの排ガスの排熱により蒸気を生成する排熱回収ボイラ１２と、排熱回収ボイラ１２により生成された蒸気により駆動する蒸気タービン１３とを備え、排ガス温度の低下率が、蒸気タービン１３の静止部と回転部との隙間が予め設定された許容隙間以上に維持される蒸気による冷却レートとなるように、ガスタービン１１の出力を制御している。
【００５７】
従って、予め、蒸気タービン１３の静止部と回転部との隙間が適正隙間以上に維持されるときの排ガス温度の低下率に対する蒸気による冷却レートを設定しておき、プラントの停止時に、この排ガス温度の低下率が設定した蒸気による冷却レートとなるようにガスタービン１１の出力を制御する。そのため、蒸気タービン１３の静止部と回転部との隙間を最適値に維持し、両者の接触による回転軸の曲げを抑制することができると共に、排ガス温度の低下率に応じてガスタービン１１の出力を制御すればよく、プラントを停止させる時間を短縮して稼働率の向上を図ることができる。
【００５８】
本実施形態のコンバインドサイクルプラントの制御装置では、排ガス温度の低下率が予め設定された許容最大値を超えると、ガスタービン１１の出力の低下を抑制する。従って、プラントの停止時に、ガスタービン１１の出力を大きく低下させていき、排ガス温度の低下率が許容最大値を超えると、ガスタービン１１の出力の低下を抑制するため、蒸気タービン１３の静止部と回転部との隙間を最適値に維持しながら、簡単な制御でプラントの冷却停止時間を短縮することができる。
【００５９】
本実施形態のコンバインドサイクルプラントの制御装置では、プラント停止時に、燃料の供給量を減少することでガスタービン１１の出力を一定に低下させる予め設定された冷却停止モードを用いてガスタービン１１の出力を低下させ、排ガス温度の低下率が許容最大値を超えると、燃料の供給量の減少を抑制する。従って、プラント停止時に、まず、冷却停止モードを用いてガスタービン１１の出力を低下させ、次に、排ガス温度の低下率が許容最大値を超えると、燃料の供給量の減少を抑制するため、制御の簡素化を図ることができる。
【００６０】
本実施形態のコンバインドサイクルプラントの制御装置では、排ガス温度の低下率が許容最大値を超えると、燃料ガス供給ラインＬ３に設けられた燃料調整弁２６の閉動作を抑制すると共に、高圧蒸気供給ラインＬ１１に設けられた高圧蒸気加減弁３６の閉動作を抑制する。従って、排ガス温度の低下率に応じて燃料調整弁２６と高圧蒸気加減弁３６の開閉制御を実施すればよく、制御する対象機器が減少して制御の簡素化を図ることができる。
【００６１】
本実施形態のコンバインドサイクルプラントの制御装置では、排ガス温度の低下率が予め設定された許容最小値を下回ると、燃料調整弁２６の閉動作を大きくすると共に、高圧蒸気加減弁３６の閉動作を大きくする。従って、排ガス温度の低下率が許容最大値を超えてガスタービン１１の出力の低下を抑制した後、排ガス温度の低下率が許容最小値を下回ると、再び、ガスタービン１１の出力を低下させることで、蒸気タービン１３の静止部と回転部との接触を抑制しながら、蒸気タービン１３を早期に冷却することができる。
【００６２】
本実施形態のコンバインドサイクルプラントの制御装置では、ガスタービン１１の出力が予め設定された運用最低出力に到達すると、排ガス温度の低下率が蒸気の冷却レートとなるようにガスタービン１１の出力を制御する。従って、ガスタービン１１の出力が運用最低出力まで低下してから、排ガス温度の低下率が蒸気の冷却レートとなるようにガスタービン１１の出力を制御するため、蒸気タービン１３が冷却停止する過程で、必要な領域だけ排ガス温度の低下率に基づく制御を実行すればよく、制御の簡素化を図ることができる。
【００６３】
また、本実施形態のコンバインドサイクルプラントの停止方法にあっては、燃料の供給量を減少することでガスタービン１１の出力を一定に低下させる予め設定された冷却停止モードを用いてガスタービン１１の出力を低下させる工程と、排ガス温度の低下率が予め設定された許容最大値を超えると燃料の供給量の減少を抑制すると共に蒸気の供給量の減少を抑制する工程とを有する。従って、蒸気タービン１３の静止部と回転部との隙間を最適値に維持し、両者の接触による回転軸の曲げを抑制することができると共に、排ガス温度の低下率に応じてガスタービン１１の出力を制御すればよく、プラントを停止させる時間を短縮して稼働率の向上を図ることができる。
【００６４】
なお、上述した実施形態では、排ガス温度をガスタービン１１におけるタービン２３から排出された排ガスの温度を温度センサ４２により計測したが、排ガス温度は、温度センサ４２が計測したものに限定されるものではない。例えば、排ガス温度をガスタービン１１における燃焼器２２から排出された排ガスの温度としたり、タービン２３内を流れる排ガスの温度としたり、また、圧縮機２１内に取り込まれる空気量と燃焼器２２に供給される燃料量に基づいて排ガス温度を推定したりしてもよい。
【符号の説明】
【００６５】
１０  コンバインドサイクルプラント
１１  ガスタービン
１２  排熱回収ボイラ
１３  蒸気タービン
１４  制御装置
２１  圧縮機
２２  燃焼器
２３  タービン
２４  発電機
２５  回転軸
２６  燃料調整弁（燃料制御弁）
３１  タービン
３２  発電機
３６  高圧蒸気加減弁（蒸気制御弁）
３７  インターセプト弁（蒸気制御弁）
３８  復水器
４１  操作装置
４２  温度センサ
【図１】
2019011721.tif 000003
【図２】
2019011721.tif 000004
【図３】
2019011721.tif 000005